(57)【特許請求の範囲】
【請求項１】
洗車機本体と被洗浄車両との少なくともいずれかが移動して洗車を行なう洗車機であって、
洗車機本体に、回転軸を中心に回転自在なサイドブラシが設けられ、
上記サイドブラシは上部ブラシ体と下部ブラシ体とに分割され、
上記上部および下部ブラシ体はそれぞれ、外筒と、外筒の外周面に植設されたブラシ毛とで構成され、
上記回転軸は上部ブラシ体の外筒内と下部ブラシ体の外筒内とにわたって挿通され、
下部ブラシ体の外筒が回転軸に一体に連結され、
上部ブラシ体の外筒と回転軸とが個別に回転するように構成され、
上部ブラシ体の外筒を回転させることによって上部ブラシ体を回転させる上部用の回転駆動装置と、回転軸を回転させることによって下部ブラシ体を回転させる下部用の回転駆動装置と、上部および下部ブラシ体を回転軸ごと一体に左右方向へ移動させる移動機構とが設けられ、
上部ブラシ体と下部ブラシ体のうち、被洗浄車両に設けられている突起物の高さに相当する位置のブラシ体を所定の回転速度よりも低速回転させ、残りのブラシ体を上記所定の回転速度で回転させて洗車を行なうことを特徴とする洗車機。
【発明の詳細な説明】
【０００１】
【発明の属する技術分野】
本発明は、車両の側面を洗浄するサイドブラシを備えた洗車機に関する。
【０００２】
【従来の技術】
従来、洗車機としては、地上に停止した被洗浄車両に対して、門型状の洗車機本体が前後移動しながら洗車を行なうものがある。洗車機本体には左右一対のサイドブラシが設けられている。
【０００３】
これによると、図２２に示すように、両サイドブラシ８６を閉限位置Ｓまで閉じかつ所定の回転速度で回転駆動させながら洗車機本体８７を前進走行させ（Ｓ−１）、上記両サイドブラシ８６が被洗浄車両８８の前面に達した際、洗車機本体８７を一時停止するとともに、両サイドブラシ８６を開限位置Ｏまで左右方向へ開き（Ｓ−２）、被洗浄車両８８の前面を両サイドブラシ８６で洗浄する。その後、両サイドブラシ８６を開限位置Ｏからわずかに閉じるとともに洗車機本体８７を前進走行させて、被洗浄車両８８の両側面を両サイドブラシ８６で洗浄する（Ｓ−３）。その後、両サイドブラシ８６が被洗浄車両８８の後端に達した際、洗車機本体８７を一時停止するとともに、両サイドブラシ８６を閉限位置Ｓまで閉じて、被洗浄車両８８の後面を両サイドブラシ８６で洗浄する（Ｓ−４）。
【０００４】
【発明が解決しようとする課題】
しかしながら上記の従来形式では、以下のような問題点がある。
▲１▼図２３に示すように、車体の前端部にフェンダミラー９０が設けられているセダンタイプの被洗浄車両８８の側面を洗浄する場合、サイドブラシ８６の外周先端がフェンダミラー９０に絡まるおそれがあるため、フェンダミラー９０の前後一定範囲Ｗ（斜線部）だけサイドブラシ８６の回転を停止していた。したがって、上記一定範囲Ｗ分だけ車体の両側面に洗い残しが発生するといった問題がある。
【０００５】
▲２▼図２４に示すように、車体の前端にフロントミラー９１が設けられているワゴンタイプの被洗浄車両８８の前面を洗浄する場合、サイドブラシ８６の外周先端がフロントミラー９１に絡まるおそれがあるため、閉じた両サイドブラシ８６が被洗浄車両８８の前面に当接した後（Ｓ−１）、洗車機本体８７を一旦わずかに後進走行させて、両サイドブラシ８６を被洗浄車両８８の前面の前方へ離間させ（Ｓ−２）、両サイドブラシ８６を閉限位置Ｓから開限位置Ｏへ開き（Ｓ−３）、そして、洗車機本体８７を前進走行させて被洗浄車両８８の両側面の洗浄に移行していた（Ｓ−４）。これにより、サイドブラシ８６はフロントミラー９１を回避することができるが、フロントミラー９１の左右一定範囲Ｗ（斜線部）だけ車体の前面に洗い残しが発生するといった問題がある。
【０００６】
また、車体の後端にリヤミラー（図示せず）が設けられているワゴンタイプの被洗浄車両８８の後面を洗浄する場合も、上記と同様に、リヤミラー９２の左右一定範囲だけ車体の後面に洗い残しが発生するといった問題がある。
【０００７】
本発明は、被洗浄車両に洗車の邪魔になる突起物が設けられている場合であっても、サイドブラシで被洗浄車両を洗浄する際、被洗浄車両の洗い残し部分を減少させることができる洗車機を提供することを目的とする。
【０００８】
【課題を解決するための手段】
上記目的を達成するために、本発明は、洗車機本体と被洗浄車両との少なくともいずれかが移動して洗車を行なう洗車機であって、
洗車機本体に、回転軸を中心に回転自在なサイドブラシが設けられ、
上記サイドブラシは上部ブラシ体と下部ブラシ体とに分割され、
上記上部および下部ブラシ体はそれぞれ、外筒と、外筒の外周面に植設されたブラシ毛とで構成され、
上記回転軸は上部ブラシ体の外筒内と下部ブラシ体の外筒内とにわたって挿通され、
下部ブラシ体の外筒が回転軸に一体に連結され、
上部ブラシ体の外筒と回転軸とが個別に回転するように構成され、
上部ブラシ体の外筒を回転させることによって上部ブラシ体を回転させる上部用の回転駆動装置と、回転軸を回転させることによって下部ブラシ体を回転させる下部用の回転駆動装置と、上部および下部ブラシ体を回転軸ごと一体に左右方向へ移動させる移動機構とが設けられ、
上部ブラシ体と下部ブラシ体のうち、被洗浄車両に設けられている突起物の高さに相当する位置のブラシ体を所定の回転速度よりも低速回転させ、残りのブラシ体を上記所定の回転速度で回転させて洗車を行なうものである。
【０００９】
これによると、サイドブラシを回転駆動させて被洗浄車両を洗浄する際、被洗浄車両に洗車の邪魔になる突起物が設けられている場合、上部ブラシ体と下部ブラシ体のうち、この突起物の高さに相当する位置のブラシ体が所定の回転速度よりも低速回転し、残りのブラシ体が上記所定の回転速度で回転する。これにより、サイドブラシの外周先端が上記突起物に絡まることを防止し得、さらに、被洗浄車両の洗い残し部分を減少させることができる。
尚、上部用又は下部用の回転駆動装置の回転駆動速度を変えることにより、上部又は下部ブラシ体の回転速度を、上記所定の回転速度と、所定の回転速度よりも低い回転速度とに切り換えることができる。
【００１３】
【発明の実施の形態】
以下、本発明における第１の実施の形態を図１〜図１３に基づいて説明する。図１〜図３に示すように、１は前後走行自在な門型状の洗車機本体であり、この洗車機本体１には、洗浄用の左右一対のサイドブラシ２と左右一対のロッカーブラシ（図示せず）とトップブラシ（図示せず）、および乾燥用の複数のノズル（図示せず）、および車高検出装置３（超音波センサ等）などが設けられている。
【００１４】
上記両サイドブラシ２は洗車機本体１に設けられた移動機構４によって左右方向へ移動して開閉自在に構成されている。上記移動機構４は以下のように構成されている。
【００１５】
すなわち、洗車機本体１の上部には左右方向（幅方向）に長い案内用レール５が設けられている。この案内用レール５の両端には長さ方向へ突出する支軸６が設けられ、両支軸６を洗車機本体１に設けた軸受け７で支持することによって、図３，図４に示すように、案内用レール５は横軸心８を中心として前後へ揺動自在に構成されている。尚、図２，図４に示すように、上記案内用レール５の揺動は、案内用レール５の両端部と洗車機本体１との間に設けられた前後一対のばね９に抗して行われ、これらばね９は案内用レール５を中立位置に弾性的に維持している。
【００１６】
尚、上記洗車機本体１側には、案内用レール５が前後へ所定角度揺動したことを検出するリミットスイッチ５１等の検出装置が設けられている。すなわち、案内用レール５が前後へ所定角度αだけ揺動した場合、案内用レール５の一端に設けられた検出片５２が上記リミットスイッチ５１を切り換えるように構成されている。
【００１７】
図１〜図３に示すように、上記案内用レール５には、左右方向へ移動自在な左右一対の移動体１０ａ，１０ｂが支持案内されている。両移動体１０ａ，１０ｂには案内用レール５の上部と下部とを転動する複数のローラ１１が設けられている。尚、両移動体１０ａ，１０ｂは、洗車機中心部Ａに接近する閉限位置Ｓと、案内用レール５の左右両端部へ離間する開限位置Ｏとの間で移動するように構成されている。
【００１８】
すなわち、洗車機本体１には、両移動体１０ａ，１０ｂを上記閉限位置Ｓの側へ移動付勢する付勢手段１７が設けられている。この付勢手段１７は、洗車機本体１に設けられた左右一対の案内輪体１８と、両案内輪体１８に支持案内される左右一対のワイヤ１９ａ，１９ｂと、左右一対のウエイト２０とで構成されている。上記一方のワイヤ１９ａの一端は一方のウエイト２０に接続され、一方のワイヤ１９ａの他端は他方の移動体１０ｂに接続されている。また、他方のワイヤ１９ｂの一端は一方の移動体１０ａに接続され、他方のワイヤ１９ｂの他端は他方のウエイト２０に接続されている。
【００１９】
さらに、上記案内用レール５の前方で洗車機本体１には、左右へ揺動自在なアーム１２が左右一対設けられている。両アーム１２の遊端部と両移動体１０ａ，１０ｂとはリンク１３を介して連結されている。洗車機本体１には、上記両アーム１２を揺動させて両移動体１０ａ，１０ｂを上記開限位置Ｏへ移動させる左右一対のシリンダ装置１４が設けられている。また、案内用レール５には、両移動体１０ａ，１０ｂをそれぞれ閉限位置Ｓに停止させるストッパ１５が設けられている。
【００２０】
以上が移動機構４の構成である。次に、上記サイドブラシ２の構成を説明する。すなわち、図５〜図７に示すように、両サイドブラシ２はそれぞれ、上部ブラシ体２３と下部ブラシ体２４とに上下２分割されている。上記上部ブラシ体２３は上下方向軸心２５を中心に回転自在な上部外筒２６と、この上部外筒２６の外周面に多数本植設されたブラシ毛２７とで構成されている。また、上記下部ブラシ体２４は上記上下方向軸心２５を中心に回転自在な下部外筒２８と、この下部外筒２８の外周面に多数本植設されたブラシ毛２７とで構成されている。
【００２１】
上記上部外筒２６と下部外筒２８との内部には、上記上下方向軸心２５を中心に回転自在な回転軸３０が挿通されている。上記下部外筒２８は、回転軸３０に一体に連結されており、回転軸３０と共に回転するように構成されている。また、上部外筒２６と回転軸３０との間には、上下複数のベアリング３１が嵌め込まれている。これにより、上部外筒２６と回転軸３０とは、個別に、上下方向軸心２５を中心に回転するように構成されている。
【００２２】
さらに、上記回転軸３０の上部は、上記各移動体１０ａ，１０ｂに設けられた第１の筒軸受け３２内に挿通されて回転自在に支持されている。また、各移動体１０ａ，１０ｂには、上記第１の筒軸受け３２の隣りに位置する第２の筒軸受け３３が設けられている。この第２の筒軸受け３３内には、上下方向軸心３５を中心にして回転自在な回転伝達軸３６が支持されている。この回転伝達軸３６の下端部と上記上部外筒２６の上端部とにはそれぞれ下部スプロケット３７，３８（下部輪体の一例）が設けられており、これら両下部スプロケット３７，３８間には下部チェン３９（下部無端回動体の一例）が巻回されている。尚、上記下部スプロケット３７，３８と下部チェン３９とは両移動体１０ａ，１０ｂの下部に設けられたカバー４０内に収納されている。
【００２３】
また、両移動体１０ａ，１０ｂにはそれぞれ、上部ブラシ体２３を回転駆動させる上部用モータ４１（回転駆動装置の一例）と、下部ブラシ体２４を回転駆動させる下部用モータ４２（回転駆動装置の一例）とが設けられている。上記上部用モータ４１と回転伝達軸３６の上端部とには上部スプロケット４４，４５（上部輪体の一例）が設けられており、これら両上部スプロケット４４，４５間には上部チェン４６（上部無端回動体の一例）が巻回されている。さらに、上記下部用モータ４２と回転軸３０の上端部とには上部スプロケット４７，４８（上部輪体の一例）が設けられており、これら両上部スプロケット４７，４８間には上部チェン４９（上部無端回動体の一例）が巻回されている。
【００２４】
また、上記洗車機本体１の前後面または側面のいずれかには、フェンダミラー用スイッチ５５と、フロントミラー用スイッチ５６と、リヤミラー用スイッチ５７と、キャリア・サンバイザー用スイッチ５８とが設けられており、これら各スイッチ５５〜５８によって上記上部用モータ４１と下部用モータ４２との駆動が切り換えられる。
【００２５】
以下、上記構成における作用を説明する。
（Ａ）先ず、被洗浄車両６３に対して通常の洗車を行なう場合を図８に基づいて説明する。
【００２６】
▲１▼先ず、洗車が開始されると、両シリンダ装置１４のピストンロッドの伸縮がフリーな状態に切り換えられ、これにより、両ウエイト２０の重量付勢によって両ワイヤ１９ａ，１９ｂが引張られ、両移動体１０ａ，１０ｂが開限位置Ｏから閉限位置Ｓまで移動し、以って、図８に示すように、両サイドブラシ２が開限位置Ｏから閉限位置Ｓへ閉じられる（Ｓ−１）。
【００２７】
この際、上部用モータ４１が駆動し、上部スプロケット４４，４５と上部チェン４６とを介して回転伝達軸３６が回転し、下部スプロケット３７，３８と下部チェン３９とを介して上部外筒２６が回転する。これにより、上部ブラシ体２３が上下方向軸心２５を中心に回転する。さらに、下部用モータ４２が駆動し、上部スプロケット４７，４８と上部チェン４９とを介して回転軸３０が回転し、下部外筒２８が回転する。これにより、下部ブラシ体２４も上部ブラシ体２３と同様に上下方向軸心２５を中心に回転する。この際、上部ブラシ体２３と下部ブラシ体２４とは所定の回転速度（高速回転）で回転する。
【００２８】
この状態で、洗車機本体１を前進走行させ、両サイドブラシ２が被洗浄車両６３の前面に当接して（Ｓ−２）、両サイドブラシ２が後方へ傾斜する。これにより、図４に示すように、案内用レール５が後方へ所定角度αだけ揺動してリミットスイッチ５１がオフからオンに切り換えられるため、両サイドブラシ２が被洗浄車両６３の前面に当接したことが検出され、洗車機本体１が一時停止する。
【００２９】
▲２▼そして、図２の仮想線で示すように、両シリンダ装置１４のピストンロッドが伸長してアーム１２が揺動し、両ウエイト２０の重量付勢に抗して、両移動体１０ａ，１０ｂが閉限位置Ｓから開限位置Ｏまで移動し（Ｓ−３）、以って、両サイドブラシ２が、閉限位置Ｓから開限位置Ｏへ開きながら、洗車機本体１の前面を洗浄する。
【００３０】
▲３▼その後、洗車機本体１が再び前進走行するとともに、両シリンダ装置１４のピストンロッドの伸縮がフリーな状態に切り換えられ、これにより、両ウエイト２０の重量付勢によって、両サイドブラシ２は、開限位置Ｏから閉じる方向へ移動し、被洗浄車両６３の左右両側面に当接し、洗車機本体１の前進走行によって被洗浄車両６３の左右両側面が前端から後端にわたり洗浄される（Ｓ−４）。
【００３１】
▲４▼そして、両サイドブラシ２が被洗浄車両６３の後端まで達した際（これは車高検出装置３が被洗浄車両６３の後端を検出することによって検知される）、両サイドブラシ２は、両ウエイト２０の重量付勢によって閉限位置Ｓへ閉じながら、洗車機本体１の後面を洗浄する（Ｓ−５）。
【００３２】
上記のような▲１▼〜▲４▼の手順で、被洗浄車両６３の前面と両側面と後面とが両サイドブラシ２を用いて洗浄され、同時に、被洗浄車両６３の上面や両側面下部，タイヤ等がトップブラシやロッカーブラシで洗浄される。
【００３３】
（Ｂ）図９，図１０に示すように、車体の前端にフロントミラー６５（洗車の邪魔になる突起物の一例）が設けられているワゴンタイプの被洗浄車両６３を洗浄する場合、最初に、係員がフロントミラー用スイッチ５６（図１参照）をオンにしておく。これにより、上記▲１▼の洗浄行程後、上記▲２▼の洗浄行程において、両サイドブラシ２が閉限位置Ｓから開限位置Ｏへ開きながら洗車機本体１の前面を洗浄する際、上部用モータ４１が停止して、両サイドブラシ２の上部ブラシ体２３の回転が停止し、下部ブラシ体２４のみが所定の回転速度（高速回転）で回転する。
【００３４】
したがって、上記のように上部ブラシ体２３の回転が停止しているため、上部ブラシ体２３のブラシ毛２７がフロントミラー６５に絡まるのを防止することができる。この際、下部ブラシ体２４は所定の回転速度で回転しているため、被洗浄車両６３の前面のほぼ下半分が下部ブラシ体２４によって洗浄される。したがって、従来の洗車に比べて、被洗浄車両６３の前面における洗い残し部分を減少させることができる。その後、上記▲３▼，▲４▼の洗浄行程が実施される。
【００３５】
尚、上記（Ｂ）の場合、左右両上部ブラシ体２３の回転を停止しているが、フロントミラー６５が設けられている側（一般に左側）の上部ブラシ体２３のみを停止させ、反対側（右側）の上部ブラシ体２３を下部ブラシ体２４と同様に所定の回転速度（高速回転）で回転させてもよい。これにより、さらに一層、被洗浄車両６３の前面における洗い残し部分を減少させることができる。あるいは、フロントミラー６５が設けられている側（一般に左側）の上部ブラシ体２３を所定の回転速度よりも低い低速回転で回転させてもよい。
【００３６】
（Ｃ）また、図１１に示すように、車体の前端部にフェンダミラー６７（洗車の邪魔になる突起物の一例）が設けられているセダンタイプの被洗浄車両６３を洗浄する場合、最初に、係員がフェンダミラー用スイッチ５５（図１参照）をオンにしておく。これにより、上記▲１▼，▲２▼の洗浄行程後、上記▲３▼の洗浄行程において、被洗浄車両６３の左右両側面の前端から上記フェンダミラー６７を含む所定距離だけ後方の範囲Ｂ内で、上部用モータ４１が停止して、両サイドブラシ２の上部ブラシ体２３の回転が停止し、下部ブラシ体２４のみが所定の回転速度（高速回転）で回転する。
【００３７】
したがって、上記のように上部ブラシ体２３の回転が停止しているため、上部ブラシ体２３のブラシ毛２７がフェンダミラー６７に絡まるのを防止することができる。この際、下部ブラシ体２４は所定の回転速度で回転しているため、被洗浄車両６３の前端から所定距離だけ後方の範囲Ｂが下部ブラシ体２４のみによって洗浄される。したがって、従来の洗車に比べて、被洗浄車両６３の両側面における洗い残し部分を減少させることができる。
【００３８】
そして、両サイドブラシ２が上記範囲Ｂの後端部に達した時、上部用モータ４１が回転駆動して、上部ブラシ体２３が所定の回転速度（高速回転）で回転する。これにより、両サイドブラシ２が上記範囲Ｂの後端部に達した後では、被洗浄車両６３の両側面は上部ブラシ体２３と下部ブラシ体２４とによって洗浄される。その後、上記▲４▼の洗浄行程が実施される。
【００３９】
（Ｄ）また、図１２に示すように、車体の天井にキャリア６９（洗車の邪魔になる突起物の一例）が設けられている被洗浄車両６３を洗浄する場合、最初に、係員がキャリア・サンバイザー用スイッチ５８（図１参照）をオンにしておく。これにより、上記▲１▼，▲２▼の洗浄行程後、上記▲３▼の洗浄行程において、上部用モータ４１の回転駆動速度が低速に切り換えられ、両サイドブラシ２の上部ブラシ体２３が所定の回転速度（高速回転）よりも低い低速回転で回転するとともに、下部ブラシ体２４は上記▲３▼の洗浄行程と同様に所定の回転速度（高速回転）で回転する。
【００４０】
これにより、被洗浄車両６３の両側面のほぼ上半分の範囲は低速回転する上部ブラシ体２３で洗浄されるため、上部ブラシ体２３のブラシ毛２７がキャリア６９の側端部に絡まるのを防止することができる。この際、下部ブラシ体２４は所定の回転速度（高速回転）で回転しているため、被洗浄車両６３の両側面のほぼ下半分の範囲は下部ブラシ体２４によって十分に洗浄される。その後、上記▲４▼の洗浄行程が実施される。
【００４１】
（Ｅ）また、図１２に示すように、車体の窓枠部にサンバイザー７１（洗車の邪魔になる突起物の一例）が設けられている被洗浄車両６３を洗浄する場合も、上記（Ｄ）の場合と同様に、最初に、係員がキャリア・サンバイザー用スイッチ５８をオンにしておく。これにより、上記（Ｄ）の場合と同様な洗車が行われ、被洗浄車両６３の両側面のほぼ上半分の範囲は低速回転する上部ブラシ体２３で洗浄されるため、上部ブラシ体２３のブラシ毛２７がサンバイザー７１に絡まるのを防止することができる。この際、下部ブラシ体２４は所定の回転速度（高速回転）で回転しているため、被洗浄車両６３の両側面のほぼ下半分の範囲は下部ブラシ体２４によって十分に洗浄される。
【００４２】
（Ｆ）また、図１３に示すように、車体の後端にリヤミラー７３（洗車の邪魔になる突起物の一例）が設けられているワゴンタイプの被洗浄車両６３を洗浄する場合、最初に、係員がリヤミラー用スイッチ５７（図１参照）をオンにしておく。これにより、上記▲１▼〜▲３▼の洗浄行程後、上記▲４▼の洗浄行程において、被洗浄車両６３の両側面を洗浄した後の両サイドブラシ２が閉限位置Ｓへ閉じながら被洗浄車両６３の後面を洗浄する際、上部用モータ４１の回転駆動速度が低速に切り換えられ、両サイドブラシ２の上部ブラシ体２３が所定の回転速度（高速回転）よりも低い低速回転で回転するとともに、下部ブラシ体２４は上記▲４▼の洗浄行程と同様に所定の回転速度（高速回転）で回転する。
【００４３】
これにより、被洗浄車両６３の後面のほぼ上半分の範囲は低速回転する上部ブラシ体２３で洗浄されるため、上部ブラシ体２３のブラシ毛２７がリヤミラー７３に絡まるのを防止することができる。この際、下部ブラシ体２４は所定の回転速度（高速回転）で回転しているため、被洗浄車両６３の後面のほぼ下半分の範囲は下部ブラシ体２４によって十分に洗浄される。
【００４４】
尚、図１３に示すように、リヤミラー７３に限らず、リヤワイパー７４（洗車の邪魔になる突起物の一例）が設けられている場合も、上記（Ｆ）と同様にして被洗浄車両６３の後面を洗浄することができる。
【００４５】
以下、本発明における第２の実施の形態を図１４〜図１７に基づいて説明する。
上記（Ｆ）に示したように、車体の後端にリヤミラー７３が設けられているワゴンタイプの被洗浄車両６３を洗浄する場合において、最初に、係員がリヤミラー用スイッチ５７（図１参照）をオンにしておく。これにより、上記▲１▼，▲２▼の洗浄行程後、上記▲３▼の洗浄行程において、被洗浄車両６３の両側面の後端を洗浄した両サイドブラシ２は、図１４に示すように、開いた状態のままで、洗車機本体１の前進走行により、被洗浄車両６３の後面よりも一定距離離れた後方まで移動する。尚、この際には、上部ブラシ体２３と下部ブラシ体２４とは両者とも所定の回転速度（高速回転）で回転している。
【００４６】
▲４▼−ａ：そして、開いていた両サイドブラシ２が閉限位置Ｓまで閉じるとともに、洗車機本体１が前進走行から後進走行に切換えられる。そして、図１５に示すように、閉限位置Ｓの両サイドブラシ２が被洗浄車両６３の後面に当接して、図６の仮想線で示すように、両サイドブラシ２が前方へ傾斜し、案内用レール５が前方へ所定角度αだけ揺動してリミットスイッチ５１がオフからオンに切り換えられるため、両サイドブラシ２が被洗浄車両６３の後面に当接したことが検出され、洗車機本体１が一時停止する。この際、上部ブラシ体２３が所定の回転速度（高速回転）から低速回転に切り換えられるとともに、下部ブラシ体２４の回転が停止する。尚、この状態では、上部ブラシ体２３が被洗浄車両６３の後面のほぼ上半分の傾斜面に沿ってぴったりと当接している。
【００４７】
▲４▼−ｂ：そして、両サイドブラシ２は、図１５で示した傾斜姿勢の状態で一定時間維持され、その後、図１６に示すように、閉限位置Ｓから開限位置Ｏまで開く。これにより、被洗浄車両６３の後面のほぼ上半分のみが低速回転の上部ブラシ体２３によって確実に洗浄される。尚、この際、下部ブラシ体２４の回転を停止させるのは、上記のようにサイドブラシ２が傾斜した状態で、下部ブラシ体２４を回転させると、サイドブラシ２に過大な負担がかかってしまうためである。
【００４８】
▲４▼−ｃ：その後、洗車機本体１をわずかに前進走行させることにより、図１５のように前方へ傾斜していた両サイドブラシ２が図１７のように垂直姿勢に戻り、この状態で、停止していた下部ブラシ体２４が所定の回転速度（高速回転）で回転するとともに、両サイドブラシ２が開限位置Ｏから閉限位置Ｓへ閉じる。これにより、下部ブラシ体２４が、被洗浄車両６３の後面のほぼ下半分の垂直面に沿ってぴったりと当接した状態で、被洗浄車両６３の後面のほぼ下半分を洗浄するとともに、低速回転の上部ブラシ体２３が被洗浄車両６３の後面のほぼ上半分を洗浄する。尚、この際の上部ブラシ体２３と下部ブラシ体２４との回転方向は上記▲４▼−ｂ）の洗浄行程における上部ブラシ体２３の回転方向とは逆方向へ切換えられる。
【００４９】
このように、上記▲４▼−ｂの洗浄行程において、図１５に示すように、上部ブラシ体２３が低速回転で被洗浄車両６３の後面のほぼ上半分を洗浄するため、上部ブラシ体２３のブラシ毛２７がリヤミラー７３に絡まるのを防止することができる。さらに、被洗浄車両６３の後面のほぼ上半分を洗浄する場合、上部ブラシ体２３が上記後面のほぼ上半分の傾斜面に沿って傾斜するため、より確実な洗浄が行なえる。また、上記▲４▼−ｃの洗浄行程において、図１７に示すように、被洗浄車両６３の後面のほぼ下半分を洗浄する場合、下部ブラシ体２４が上記後面のほぼ下半分の垂直面に沿って垂直姿勢になるため、より確実な洗浄が行なえる。
【００５０】
以下、本発明における第３の実施の形態を図１８〜図２０に基づいて説明する。
第１の実施の形態では洗車機本体１の前面にリヤミラー用スイッチ５７を設けているが、第３の実施の形態では、リヤミラー用スイッチ５７を左リヤミラー用スイッチ５７ａと右リヤミラー用スイッチ５７ｂとに分けている。
【００５１】
これによると、図１９に示すように、車体の後端の左側にリヤミラー７３（洗車の邪魔になる突起物の一例）が設けられているワゴンタイプの被洗浄車両６３を洗浄する場合、最初に、係員が左リヤミラー用スイッチ５７ａをオンにしておく。これにより、上記▲１▼〜▲３▼の洗浄行程後、上記▲４▼の洗浄行程において、被洗浄車両６３の両側面を洗浄した後の両サイドブラシ２が閉限位置Ｓへ閉じながら被洗浄車両６３の後面を洗浄する際、左側の上部用モータ４１のみが停止し、左側のサイドブラシ２の上部ブラシ体２３の回転のみが停止し、左側のサイドブラシ２の下部ブラシ体２４と右側のサイドブラシ２の上下両ブラシ体２３，２４が所定の回転速度（高速回転）で回転する。
【００５２】
これにより、左側のサイドブラシ２の上部ブラシ体２３（停止）のブラシ毛２７がリヤミラー７３に絡まるのを防止することができる。この際、被洗浄車両６３の後面のほぼ下半分の範囲は左右両下部ブラシ体２４によって洗浄され、さらに、被洗浄車両６３の後面のほぼ上半分かつ右半分の範囲は右側のサイドブラシ２の上部ブラシ体２３によって洗浄される。これにより、被洗浄車両６３の後面の洗い残し部分を減少させることができる。
【００５３】
また、図２０に示すように、車体の後端の右側にリヤミラー７３（洗車の邪魔になる突起物の一例）が設けられているワゴンタイプの被洗浄車両６３を洗浄する場合、最初に、係員が右リヤミラー用スイッチ５７ｂをオンにしておく。これにより、上記▲１▼〜▲３▼の洗浄行程後、上記▲４▼の洗浄行程において、被洗浄車両６３の両側面を洗浄した後の両サイドブラシ２が閉限位置Ｓへ閉じながら被洗浄車両６３の後面を洗浄する際、右側の上部用モータ４１のみが停止し、右側のサイドブラシ２の上部ブラシ体２３の回転のみが停止し、右側のサイドブラシ２の下部ブラシ体２４と左側のサイドブラシ２の上下両ブラシ体２３，２４が所定の回転速度（高速回転）で回転する。
【００５４】
これにより、右側のサイドブラシ２の上部ブラシ体２３（停止）のブラシ毛２７がリヤミラー７３に絡まるのを防止することができる。この際、被洗浄車両６３の後面のほぼ下半分の範囲は左右両下部ブラシ体２４によって洗浄され、さらに、被洗浄車両６３の後面のほぼ上半分かつ左半分の範囲は左側のサイドブラシ２の上部ブラシ体２３によって洗浄される。これにより、被洗浄車両６３の後面の洗い残し部分を減少させることができる。
【００５５】
尚、上記実施の形態では、図１９に示すように、左側にリヤミラー７３がある場合、左側のサイドブラシ２の上部ブラシ体２３の回転のみを停止しているが、左側のサイドブラシ２の上部ブラシ体２３の回転のみを低速回転に切り換えてもよい。この場合でも、左側のサイドブラシ２の上部ブラシ体２３のブラシ毛２７がリヤミラー７３に絡まるのを防止することができ、さらに、被洗浄車両６３の後面のほぼ全範囲を洗浄することができる。
【００５６】
また、図２０に示すように、右側にリヤミラー７３がある場合、右側のサイドブラシ２の上部ブラシ体２３の回転のみを停止しているが、右側のサイドブラシ２の上部ブラシ体２３の回転のみを低速回転に切り換えてもよい。この場合でも、右側のサイドブラシ２の上部ブラシ体２３のブラシ毛２７がリヤミラー７３に絡まるのを防止することができ、さらに、被洗浄車両６３の後面のほぼ全範囲を洗浄することができる。
【００５７】
上記第１〜第３の実施の形態では、前後走行自在な洗車機本体１にサイドブラシ２を設け、停止した被洗浄車両６３に対して洗車機本体１を走行させているが、第４の実施の形態として、図２１に示すように、門型状の洗車機本体７７を地上に据付け固定し、ローラコンベヤ７８等の車両搬送装置で被洗浄車両６３を搬送しながら、洗車機本体７７の内部で洗車を行なう洗車機もある。
【００５８】
上記洗車機本体７７には、上記第１の実施の形態と同様に、ロッカーブラシ７９やトップブラシ８０および左右一対のサイドブラシ２が設けられている。これら両サイドブラシ２はそれぞれ、上記第１の実施の形態と同様に、上部ブラシ体２３と下部ブラシ体２４とに分割されている。
【００５９】
また、洗車機本体１と被洗浄車両６３との両者を移動させながら洗車機本体１内で洗車を行なう洗車機であってもよい。
上記第１〜第４の実施の形態では、サイドブラシ２を上部ブラシ体２３と下部ブラシ体２４とに上下２分割しているが、上下３分割以上に分割してもよい。
【００６０】
上記第１〜第４の実施の形態では、洗車の邪魔になる突起物の一例として、各種ミラー６５，６７，７３やキャリア６９、サンバイザー７１、リヤワイパー７４を挙げたが、これら以外の物品であってもよい。
【００６１】
【発明の効果】
以上のように本発明によると、洗車の邪魔になる突起物が設けられている被洗浄車両をサイドブラシで洗浄する場合、サイドブラシの外周先端が上記突起物に絡まることを防止し得、さらに、被洗浄車両の洗い残し部分を減少させることができる。
【図面の簡単な説明】
【図１】本発明の第１の実施の形態における洗車機のサイドブラシと移動機構との正面図である。
【図２】同、洗車機の移動機構の平面図である。
【図３】同、洗車機のサイドブラシの上部の拡大正面図である。
【図４】図３におけるＸ−Ｘ矢視図である。
【図５】同、洗車機のサイドブラシの構成を示す正面図である。
【図６】図５におけるＸ−Ｘ矢視図である。
【図７】図５におけるＹ−Ｙ矢視図である。
【図８】同、洗車機を用いて、通常の洗車を行なった場合のサイドブラシの動きを示す平面図である。
【図９】同、洗車機を用いて、フロントミラーを備えた被洗浄車両の前面を洗浄する場合のサイドブラシの動きを示す平面図である。
【図１０】同、洗車機を用いて、フロントミラーを備えた被洗浄車両の前面を洗浄する場合のサイドブラシの動きを示す側面図である。
【図１１】同、洗車機を用いて、フェンダミラーを備えた被洗浄車両の側面を洗浄する場合のサイドブラシの動きを示す側面図である。
【図１２】同、洗車機を用いて、キャリアやサンバイザーを備えた被洗浄車両の側面を洗浄する場合のサイドブラシの動きを示す後面図である。
【図１３】同、洗車機を用いて、リヤミラーやリヤワイパーを備えた被洗浄車両の後面を洗浄する場合のサイドブラシの動きを示す側面図である。
【図１４】本発明の第２の実施の形態における洗車方法を示す側面図であり、サイドブラシが前進して被洗浄車両の後方へ通り過ぎた状態を示す。
【図１５】同、洗車方法を示す側面図であり、サイドブラシが後進して被洗浄車両の後面に当接し傾斜した状態を示す。
【図１６】図１５におけるＸ−Ｘ矢視図である。
【図１７】同、洗車方法を示す側面図であり、サイドブラシがわずかに前進して傾斜姿勢から垂直姿勢になった状態を示す。
【図１８】本発明の第３の実施の形態における洗車機のリヤミラー用スイッチの図である。
【図１９】同、洗車機を用いて、左リヤミラーを備えた被洗浄車両の後面を洗浄する場合のサイドブラシの動きを示す後面図である。
【図２０】同、洗車機を用いて、右リヤミラーを備えた被洗浄車両の後面を洗浄する場合のサイドブラシの動きを示す後面図である。
【図２１】本発明の第４の実施の形態における洗車機の構成を示す側面図である。
【図２２】従来の洗車機を用いて、通常の洗車を行なった場合のサイドブラシの動きを示す平面図である。
【図２３】従来の洗車機を用いて、フェンダミラーを備えた被洗浄車両の側面を洗浄する場合のサイドブラシの動きを示す側面図である。
【図２４】従来の洗車機を用いて、フロントミラーを備えた被洗浄車両の前面を洗浄する場合のサイドブラシの動きを示す平面図である。
【符号の説明】
１    洗車機本体
２    サイドブラシ
２３    上部ブラシ体
２４    下部ブラシ体
４１    上部用モータ（回転駆動装置）
４２    下部用モータ（回転駆動装置）
６３    被洗浄車両
６５，６７，７３    ミラー（突起物）
６９    キャリア（突起物）
７１    サンバイザー（突起物）
７４    リヤワイパー（突起物）
７７    洗車機本体
【図１】
0003723893.tif 000002
【図２】
0003723893.tif 000003
【図３】
0003723893.tif 000004
【図４】
0003723893.tif 000005
【図５】
0003723893.tif 000006
【図６】
0003723893.tif 000007
【図７】
0003723893.tif 000008
【図８】
0003723893.tif 000009
【図９】
0003723893.tif 000010
【図１０】
0003723893.tif 000011
【図１１】
0003723893.tif 000012
【図１２】
0003723893.tif 000013
【図１３】
0003723893.tif 000014
【図１４】
0003723893.tif 000015
【図１５】
0003723893.tif 000016
【図１６】
0003723893.tif 000017
【図１７】
0003723893.tif 000018
【図１８】
0003723893.tif 000019
【図１９】
0003723893.tif 000020
【図２０】
0003723893.tif 000021
【図２１】
0003723893.tif 000022
【図２２】
0003723893.tif 000023
【図２３】
0003723893.tif 000024
【図２４】
0003723893.tif 000025